(57)【要約】【課題】被災者の安否に関する情報の登録および検索を効率的に実行できる画像形成装置および情報処理プログラムを提供する。【解決手段】本発明の画像形成装置２００Ａ，２００Ｂは、画像読取手段２２０と制御手段２８０とを有する。画像読取手段２２０は、被災者の安否に関する情報を画像として読み込む。制御手段２８０は、上記画像に基づいて取得した上記情報を上記被災者の安否情報として登録するとともに、ネットワーク上の少なくとも１つの検索サーバー１００Ａ，１００Ｂとネットワーク接続可能か否かを一定時間ごとに監視し、ネットワーク接続が可能ではない場合、上記少なくとも１つの検索サーバーへ上記安否情報を送信するための送信要求を一時的に保持し、その後ネットワーク接続が可能となった場合、上記送信要求に基づいて上記安否情報を上記少なくとも１つの検索サーバーに送信する。【選択図】図１
2014013963.tif 000002
【特許請求の範囲】
【請求項１】
被災者の安否に関する情報を画像として読み込む画像読取手段と、
前記画像に基づいて取得した前記情報を前記被災者の安否情報として登録するとともに、ネットワーク上の少なくとも１つの検索サーバーとネットワーク接続可能か否かを一定時間ごとに監視し、ネットワーク接続が可能ではない場合、前記少なくとも１つの検索サーバーへ前記安否情報を送信するための送信要求を一時的に保持し、その後ネットワーク接続が可能となった場合、前記送信要求に基づいて前記安否情報を前記少なくとも１つの検索サーバーに送信する制御手段と、を有する、画像形成装置。
【請求項２】
前記画像読取手段は、被災者に関する検索情報を画像として読み込み、
前記制御手段は、前記画像に基づいて取得した前記検索情報を使用して安否情報を検索するとともに、ネットワーク上の少なくとも１つの検索サーバーとネットワーク接続可能か否かを一定時間ごとに監視し、ネットワーク接続が可能ではない場合、前記少なくとも１つの検索サーバーへ送信する前記検索情報および検索要求を一時的に保持し、その後ネットワーク接続が可能となった場合、前記検索情報および検索要求を前記少なくとも１つの検索サーバーに送信することを特徴とする請求項１に記載の画像形成装置。
【請求項３】
被災者に関する検索情報を画像として読み込む画像読取手段と、
前記画像に基づいて取得した前記検索情報を使用して安否情報を検索するとともに、ネットワーク上の少なくとも１つの検索サーバーとネットワーク接続可能か否かを一定時間ごとに監視し、ネットワーク接続が可能ではない場合、前記少なくとも１つの検索サーバーへ送信する前記検索情報および検索要求を一時的に保持し、その後ネットワーク接続が可能となった場合、前記検索情報および検索要求を前記少なくとも１つの検索サーバーに送信する制御手段と、を有する、画像形成装置。
【請求項４】
前記安否情報は、前記被災者の名前、性別、生年月日、および前記被災者が避難する先の目的地を含むことを特徴とする請求項１〜３のいずれか１項に記載の画像形成装置。
【請求項５】
前記検索情報は、前記被災者の名前、性別、および生年月日を含むことを特徴とする請求項２〜４のいずれか１項に記載の画像形成装置。
【請求項６】
前記制御手段は、地図で指定された範囲において前記安否情報を検索することを特徴とする請求項２〜５のいずれか１項に記載の画像形成装置。
【請求項７】
前記安否情報の検索結果として前記目的地への経路情報を出力することを特徴とする請求項４〜６のいずれか１項に記載の画像形成装置。
【請求項８】
前記安否情報の検索結果として前記被災者に関連する人物の安否情報を出力することを特徴とする請求項２〜４のいずれか１項に記載の画像形成装置。
【請求項９】
前記安否情報の検索結果を用紙に印刷して出力することを特徴とする請求項２〜８のいずれか１項に記載の画像形成装置。
【請求項１０】
前記安否情報は、前記被災者の登録場所、登録日時、所属組織、住所、コメント、連絡先、送信先、前記目的地への経路地図の画像のうちの少なくとも１つをさらに含むことを特徴とする請求項４〜９のいずれか１項に記載の画像形成装置。
【請求項１１】
タッチパネルディスプレイをさらに備え、
前記目的地は、前記タッチパネルディスプレイに表示された地図上を前記被災者が触れることによって入力されることを特徴とする請求項４〜１０のいずれか１項に記載の画像形成装置。
【請求項１２】
前記安否情報を記入するための入力用紙を印刷することを特徴とする請求項１〜１１のいずれか１項に記載の画像形成装置。
【請求項１３】
前記検索情報を記入するための検索用紙を印刷することを特徴とする請求項２〜１２のいずれか１項に記載の画像形成装置。
【請求項１４】
被災者の安否に関する情報を画像として読み込む手順（ａ１）と、
前記画像に基づいて取得した前記情報を前記被災者の安否情報として登録する手順（ｂ１）と、
ネットワーク上の少なくとも１つの検索サーバーとネットワーク接続可能か否かを一定時間ごとに監視し、ネットワーク接続が可能ではない場合、前記少なくとも１つの検索サーバーへ前記安否情報を送信するための送信要求を一時的に保持し、その後ネットワーク接続が可能となった場合、前記送信要求に基づいて前記安否情報を前記少なくとも１つの検索サーバーに送信する手順（ｃ１）と、
をコンピューターに実行させる、情報処理プログラム。
【請求項１５】
被災者に関する検索情報を画像として読み込む手順（ａ２）と、
前記画像に基づいて取得した前記検索情報を使用して安否情報を検索させる手順（ｂ２）と、
ネットワーク上の少なくとも１つの検索サーバーとネットワーク接続可能か否かを一定時間ごとに監視し、ネットワーク接続が可能ではない場合、前記少なくとも１つの検索サーバーへ送信する前記検索情報および検索要求を一時的に保持し、その後ネットワーク接続が可能となった場合、前記検索情報および検索要求を前記少なくとも１つの検索サーバーに送信する手順（ｃ２）と、
をコンピューターに実行させる、情報処理プログラム。
【請求項１６】
請求項１４または１５に記載の情報処理プログラムを記録したコンピューター読み取り可能な記録媒体。
【発明の詳細な説明】
【技術分野】
【０００１】
本発明は、画像形成装置および情報処理プログラムに関する。
【背景技術】
【０００２】
地震などにより広域にわたって災害が発生した場合に被災者の安否を効率的に確認できるシステムの普及が望まれている。被災者の安否を確認する方法としては、一般に電話などの通信手段によって確認する方法が使用されることが多い。しかしながら、災害時は、被災地との通話が急増するため、一般に普及している携帯電話、固定電話、公衆電話はつながり難くなるため、被災者の安否を確認する手段として電話を使用するのは困難である場合が多い。また、家族、学校、職場などにおいて、複数人の安否を確認したい場合に個別に電話で確認していたのでは手間と時間がかかり効率的ではない。さらに、安否を確認する側も被災している場合、電話などの通信手段を利用できない状況にあることも考えられる。その一方で、オフィス、コンビニエンスストア、市役所などの公共施設には複写機、ＭＦＰ（Ｍｕｌｔｉｆｕｎｃｔｉｏｎ  Ｐｅｒｉｐｈｅｒａｌ）などの画像形成装置が設置されていることが多く、これらの中にはインターネットなどにネットワーク接続することができるものもある。
【０００３】
災害時における諸事情を考慮し、画像形成装置を利用して災害時に被災者を支援することを目的としたシステムがこれまでに提案されている。たとえば、下記の特許文献１には、災害時に画像形成装置の利用者に対して災害時用の追加的な利用者インターフェースを提供する画像処理システムが開示されている。この災害時用の利用者インターフェースは、たとえば官公庁や自治体の安否登録システムのような災害対策用の外部システムとのインターフェースとして使用される。
【０００４】
しかしながら、特許文献１に記載の画像処理システムは、被災者の安否に関する情報を登録および検索する外部システムとのインターフェースを提供するものの、被災者の安否に関する情報を登録および検索する具体的な手段を提供するものではない。また、被災者同士が互いに安否確認することも想定されていない。その結果、被災者の安否に関する情報の登録および検索を効率的に実行できないという問題がある。
【先行技術文献】
【特許文献】
【０００５】
【特許文献１】特開２００８−５９５３０号公報
【発明の概要】
【発明が解決しようとする課題】
【０００６】
本発明は、上述した課題に鑑みてなされたものである。したがって、本発明の目的は、被災者の安否に関する情報の登録および検索を効率的に実行できる画像形成装置および情報処理プログラムを提供することである。
【課題を解決するための手段】
【０００７】
本発明の上記目的は、下記によって達成される。
【０００８】
（１）被災者の安否に関する情報を画像として読み込む画像読取手段と、前記画像に基づいて取得した前記情報を前記被災者の安否情報として登録するとともに、ネットワーク上の少なくとも１つの検索サーバーとネットワーク接続可能か否かを一定時間ごとに監視し、ネットワーク接続が可能ではない場合、前記少なくとも１つの検索サーバーへ前記安否情報を送信するための送信要求を一時的に保持し、その後ネットワーク接続が可能となった場合、前記送信要求に基づいて前記安否情報を前記少なくとも１つの検索サーバーに送信する制御手段と、を有する、画像形成装置。
【０００９】
（２）前記画像読取手段は、被災者に関する検索情報を画像として読み込み、前記制御手段は、前記画像に基づいて取得した前記検索情報を使用して安否情報を検索するとともに、ネットワーク上の少なくとも１つの検索サーバーとネットワーク接続可能か否かを一定時間ごとに監視し、ネットワーク接続が可能ではない場合、前記少なくとも１つの検索サーバーへ送信する前記検索情報および検索要求を一時的に保持し、その後ネットワーク接続が可能となった場合、前記検索情報および検索要求を前記少なくとも１つの検索サーバーに送信することを特徴とする上記（１）に記載の画像形成装置。
【００１０】
（３）被災者に関する検索情報を画像として読み込む画像読取手段と、前記画像に基づいて取得した前記検索情報を使用して安否情報を検索するとともに、ネットワーク上の少なくとも１つの検索サーバーとネットワーク接続可能か否かを一定時間ごとに監視し、ネットワーク接続が可能ではない場合、前記少なくとも１つの検索サーバーへ送信する前記検索情報および検索要求を一時的に保持し、その後ネットワーク接続が可能となった場合、前記検索情報および検索要求を前記少なくとも１つの検索サーバーに送信する制御手段と、を有する、画像形成装置。
【００１１】
（４）前記安否情報は、前記被災者の名前、性別、生年月日、および前記被災者が避難する先の目的地を含むことを特徴とする上記（１）〜（３）のいずれか１つに記載の画像形成装置。
【００１２】
（５）前記検索情報は、前記被災者の名前、性別、および生年月日を含むことを特徴とする上記（２）〜（４）のいずれか１つに記載の画像形成装置。
【００１３】
（６）前記制御手段は、地図で指定された範囲において前記安否情報を検索することを特徴とする上記（２）〜（５）のいずれか１つに記載の画像形成装置。
【００１４】
（７）前記安否情報の検索結果として前記目的地への経路情報を出力することを特徴とする上記（４）〜（６）のいずれか１つに記載の画像形成装置。
【００１５】
（８）前記安否情報の検索結果として前記被災者に関連する人物の安否情報を出力することを特徴とする上記（２）〜（４）のいずれか１つに記載の画像形成装置。
【００１６】
（９）前記安否情報の検索結果を用紙に印刷して出力することを特徴とする上記（２）〜（８）のいずれか１項に記載の画像形成装置。
【００１７】
（１０）前記安否情報は、前記被災者の登録場所、登録日時、所属組織、住所、コメント、連絡先、送信先、前記目的地への経路地図の画像のうちの少なくとも１つをさらに含むことを特徴とする上記（４）〜（９）のいずれか１つに記載の画像形成装置。
【００１８】
（１１）タッチパネルディスプレイをさらに備え、前記目的地は、前記タッチパネルディスプレイに表示された地図上を前記被災者が触れることによって入力されることを特徴とする上記（４）〜（１０）のいずれか１つに記載の画像形成装置。
【００１９】
（１２）前記安否情報を記入するための入力用紙を印刷することを特徴とする上記（１）〜（１１）のいずれか１つに記載の画像形成装置。
【００２０】
（１３）前記検索情報を記入するための検索用紙を印刷することを特徴とする上記（２）〜（１２）のいずれか１つに記載の画像形成装置。
【００２１】
（１４）被災者の安否に関する情報を画像として読み込む手順（ａ１）と、前記画像に基づいて取得した前記情報を前記被災者の安否情報として登録する手順（ｂ１）と、ネットワーク上の少なくとも１つの検索サーバーとネットワーク接続可能か否かを一定時間ごとに監視し、ネットワーク接続が可能ではない場合、前記少なくとも１つの検索サーバーへ前記安否情報を送信するための送信要求を一時的に保持し、その後ネットワーク接続が可能となった場合、前記送信要求に基づいて前記安否情報を前記少なくとも１つの検索サーバーに送信する手順（ｃ１）と、をコンピューターに実行させる、情報処理プログラム。
【００２２】
（１５）被災者に関する検索情報を画像として読み込む手順（ａ２）と、前記画像に基づいて取得した前記検索情報を使用して安否情報を検索させる手順（ｂ２）と、ネットワーク上の少なくとも１つの検索サーバーとネットワーク接続可能か否かを一定時間ごとに監視し、ネットワーク接続が可能ではない場合、前記少なくとも１つの検索サーバーへ送信する前記検索情報および検索要求を一時的に保持し、その後ネットワーク接続が可能となった場合、前記検索情報および検索要求を前記少なくとも１つの検索サーバーに送信する手順（ｃ２）と、をコンピューターに実行させる、情報処理プログラム。
【００２３】
（１６）上記（１４）または（１５）に記載の情報処理プログラムを記録したコンピューター読み取り可能な記録媒体。
【発明の効果】
【００２４】
本発明によれば、画像形成装置は、検索サーバーとネットワーク接続可能か否かを一定時間ごとに監視しており、ネットワーク接続が可能ではない場合、ネットワーク接続が可能となるまで送信要求および検索要求を保持する。したがって、災害によりネットワークが寸断して、画像形成装置と検索サーバーとの間で安否情報のやり取りができない場合でも、ネットワークの復旧後すぐに安否情報のやり取りを再開できる。その結果、被災者の安否に関する情報の登録および検索を効率的に実行できる。
【図面の簡単な説明】
【００２５】
【図１】本発明の一実施形態の画像形成システムの概略構成を示すブロック図である。
【図２】図１に示す画像形成装置の概略構成を示すブロック図である。
【図３】本発明の一実施形態の安否確認システムの起動手順について説明するためのフローチャートである。
【図４】本発明の一実施形態の管理者設定メニューの一例を示す図である。
【図５Ａ】本発明の一実施形態の安否確認システム設定について説明するためのフローチャートである。
【図５Ｂ】本発明の一実施形態の安否確認システム設定について説明するためのフローチャートである。
【図６】本発明の一実施形態の安否確認システム設定メニューの一例を示す図である。
【図７Ａ】本発明の一実施形態の送信確認処理について説明するためのフローチャートである。
【図７Ｂ】本発明の一実施形態の送信確認処理について説明するためのフローチャートである。
【図８】本発明の一実施形態の安否確認メイン処理を説明するためのフローチャートである。
【図９】本発明の一実施形態の安否確認システムメニューの一例を説明するための図である。
【図１０】本発明の一実施形態の安否情報項目一覧の一例を示す図である。
【図１１Ａ】本発明の一実施形態において、画像形成装置の操作表示部を使用して安否情報を入力する場合の安否情報登録方法を説明するための図である。
【図１１Ｂ】本発明の一実施形態において、入力用紙に安否情報を記入したのち画像として読み込む場合の安否情報登録方法を説明するための図である。
【図１１Ｃ】本発明の一実施形態において、所定形式の用紙を画像として読み込む場合の安否情報登録方法を説明するための図である。
【図１２】本発明の一実施形態の安否情報登録処理手順を説明するためのフローチャートである。
【図１３】本発明の一実施形態の安否情報登録メニューの一例を説明するための図である。
【図１４】本発明の一実施形態の安否情報登録画面の一例を示す図である。
【図１５】本発明の一実施形態において、画像形成装置が備える地図情報を使用して目的地を指定する方法を説明するための図である。
【図１６】本発明の一実施形態の画像形成装置の安否情報登録完了画面の一例を示す図である。
【図１７Ａ】本発明の一実施形態の安否情報登録内容の確認について説明するフローチャートである。
【図１７Ｂ】本発明の一実施形態の安否情報登録内容の確認について説明するフローチャートである。
【図１８】本発明の一実施形態の安否情報更新処理について説明するためのフローチャートである。
【図１９】本発明の一実施形態の安否情報更新メニューの一例を示す図である。
【図２０Ａ】本発明の一実施形態の安否情報検索処理を説明するためのフローチャートである。
【図２０Ｂ】本発明の一実施形態の安否情報検索処理を説明するためのフローチャートである。
【図２０Ｃ】本発明の一実施形態の安否情報検索処理を説明するためのフローチャートである。
【図２１】本発明の一実施形態の安否情報検索メニューの一例を示す図である。
【図２２】本発明の一実施形態において、安否情報検索の個人指定検索画面の一例を示す図である。
【図２３】本発明の一実施形態において、安否情報検索の地図範囲指定画面の一例を示す図である。
【図２４】本発明の一実施形態の検索結果リスト画面の一例を示す図である。
【図２５】本発明の一実施形態の地図範囲指定により検索した場合の検索結果リスト画面の一例を示す図である。
【図２６】本発明の一実施形態の安否情報詳細表示画面の一例を示す図である。
【図２７】本発明の一実施形態の安否情報経路画面の一例を示す図である。
【図２８】本発明の一実施形態において、部分一致する条件で検索した場合の検索結果リスト画面の一例を示す図である。
【発明を実施するための形態】
【００２６】
以下、図面を参照して、本発明の一実施形態を詳細に説明する。図１は本発明の一実施形態の画像形成システムの概略構成を示すブロック図であり、図２は図１に示す画像形成装置の概略構成を示すブロック図である。
【００２７】
図１に示すとおり、本実施形態の画像形成システム１は、安否情報検索サーバー（以下、検索サーバーと称する。）１００Ａ，１００Ｂ、画像形成装置２００Ａ，２００Ｂ、およびネットワーク３００Ａ，３００Ｂを有する。検索サーバー１００Ａ，１００Ｂおよび画像形成装置２００Ａ，２００Ｂは、ネットワーク３００Ａ，３００Ｂを介してＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）などのネットワークプロトコルで相互に通信可能に接続されている。
【００２８】
なお、本実施形態では、説明の都合上、画像形成システム１は２台の検索サーバー１００Ａ，１００Ｂおよび２台の画像形成装置２００Ａ，２００Ｂを有する場合を例示して説明する。しかしながら、ネットワーク３００Ａ，３００Ｂに接続される検索サーバーおよび画像形成装置の台数は、図１に示す例に限定されない。
【００２９】
本実施形態の画像形成システム１は、一般的な画像形成システムとしての機能を有することに加え、地震などにより広域にわたって災害が発生した場合には被災者の安否を確認することを目的とした安否確認システムとしての機能も果たす。
【００３０】
より具体的には、本実施形態の安否確認システムでは、画像形成装置２００Ａ，２００Ｂを含む多数の画像形成装置が各地域のたとえばコンビニエンスストア、スーパー、商店、公共施設、オフィスなどに分散して設置されていることを想定している。画像形成装置２００Ａ，２００Ｂは、たとえば、ある地域の互いに異なる場所Ａおよび場所Ｂにそれぞれ設置されている。一方、検索サーバー１００Ａ，１００Ｂの設置場所は、災害の影響を受けにくい場所であれば、とくに限定されるものではない。
【００３１】
災害時において、画像形成装置２００Ａ，２００Ｂは、管理者によって通常モードから安否確認モードに切り替えられる。通常モードは、たとえば画像形成装置２００Ａ，２００Ｂの通常の動作を実行するためのモードであり、安否確認モードは、安否確認システムの一部として被災者の安否を確認する機能を実現するためのモードである。
【００３２】
本実施形態の安否確認システムでは、安否情報の登録を希望する被災者は、最寄りの画像形成装置の設置場所を訪れ、画像形成装置を操作して安否情報を登録する。以下の説明では、画像形成装置を操作して安否情報を登録する被災者を登録者と称する。なお、安否情報の詳細については後述する。
【００３３】
一方、被災者の安否情報を検索する者（以下、検索者と称する。）も最寄りの画像形成装置の設置場所を訪れ、画像形成装置を操作して安否情報を検索する。検索者自身も登録者になりうる。また、登録者および検索者を合わせて利用者と称する。
【００３４】
本実施形態の安否確認システムでは、画像形成装置２００Ａと画像形成装置２００Ｂとがネットワーク３００Ａを介して相互に通信可能に接続されている。したがって、検索者は、画像形成装置２００Ａで登録された登録者の安否情報を画像形成装置２００Ｂから検索することができる。また、反対に画像形成装置２００Ｂで登録された登録者の安否情報を画像形成装置２００Ａから検索することもできる。
【００３５】
以下、本実施形態の検索サーバー１００Ａ，１００Ｂおよび画像形成装置２００Ａ，２００Ｂの構成についてより詳しく説明する。
【００３６】
＜安否情報検索サーバーの構成＞
検索サーバー１００Ａ，１００Ｂは、複数の画像形成装置２００Ａ，２００Ｂに保存されている安否情報の検索および取得が可能な検索サーバーである。また、検索サーバー１００Ａ，１００Ｂは、一般的なパーソナルコンピューターまたはワークステーションを用いて構成され、画像形成装置２００Ａ，２００Ｂから受信した安否情報を記憶装置に登録することができる。
【００３７】
検索サーバー１００Ａは、ネットワーク３００Ａを通じて画像形成装置２００Ａ，２００Ｂと接続され、画像形成装置２００Ａ，２００Ｂから安否情報を受信する。また、検索サーバー１００Ｂは、検索サーバー１００Ａおよび画像形成装置２００Ａ，２００Ｂ以外の他の画像形成装置とネットワーク３００Ｂを通じて接続されている。安否情報の登録、検索、および取得を含む検索サーバー１００Ａ，１００Ｂの各機能は、検索サーバー１００Ａ，１００Ｂに内蔵されたＣＰＵが安否情報検索サーバー用プログラムを実行することによって実現される。
【００３８】
＜画像形成装置の構成＞
図２に示すとおり、画像形成装置２００Ａは、原稿供給部２１０、画像読取部２２０、画像処理部２３０、画像形成部２４０、給紙部２５０、画像出力部２６０、操作表示部２７０、および制御部２８０を有する。本実施形態の画像形成装置２００Ａ，２００Ｂは、たとえばＭＦＰである。なお、画像形成装置２００Ａ，２００Ｂは同一の構成を有するので、画像形成装置２００Ａの構成を代表して説明し、画像形成装置２００Ｂの構成の説明は省略する。
【００３９】
原稿供給部２１０は、画像を読み取るための原稿を画像読取部２２０に供給する。原稿供給部２１０は、ＡＤＦ（Ａｕｔｏｍａｔｉｃ  Ｄｏｃｕｍｅｎｔ  Ｆｅｅｄｅｒ）を備え、原稿供給口に載置された原稿を１枚ずつ画像読取部２２０に供給する。
【００４０】
画像読取部２２０は、画像読取手段として、原稿を光学的に読み取り、画像データ信号を取得する。画像読取部２２０は、光源、光学系、イメージセンサー、およびアナログ・ディジタル変換回路を有する。画像読取部２２０において、光源は、（Ｒ，Ｇ，Ｂ）各色の光を原稿に順次照射する。光学系は、複数のミラーおよび結像レンズを有しており、原稿からの反射光は光学系のミラーおよび結像レンズを通じてイメージセンサーに結像される。イメージセンサーは、（Ｒ，Ｇ，Ｂ）各色に対応する反射光をラインごとに読み取り、原稿からの反射光強度に応じて電気信号を生成する。生成された電気信号は、アナログ・ディジタル変換回路において、アナログ信号からディジタル信号に変換され、画像データ信号として画像処理部２３０に伝達される。
【００４１】
画像処理部２３０は、画像データ信号に対して各種の画像処理を実施する。画像処理部２３０は、たとえばシェーディング補正、γ補正、色変換、拡大・縮小処理などを実施し、画像形成部２４０に伝達する。
【００４２】
画像形成部２４０は、画像処理部２０で処理された画像データ信号に基づいて、給紙部２５０から供給された用紙に印刷画像を印刷する。本実施形態では、画像形成部２４０は、電子写真プロセスにより印刷画像を用紙に印刷する。より具体的には、画像形成部２４０は、感光体ドラムを帯電させ、画像処理部２３０で生成された画像データ信号に基づいてレーザー光により感光体ドラム上に静電潜像を形成する。そして、感光体ドラム上の静電潜像にトナーを付着させてトナー画像を形成し、感光体ドラム上のトナー画像を転写ベルトにより用紙に転写し、用紙に転写されたトナー画像を定着ローラーで加熱および加圧して定着させる。トナー画像が定着された用紙は、画像出力部２６０の排紙トレイから排出される。
【００４３】
操作表示部２７０は、利用者からの指示を受け付け、制御部２８０に送信する。また、操作表示部２７０は、画像形成部２４０による印刷処理に関する設定内容や、利用者に注意を喚起するための各種メッセージなどを表示する。操作表示部２７０は、たとえば、押しボタンスイッチ、タッチパネルディスプレイなどを備える。
【００４４】
制御部２８０は、制御手段として、原稿供給部２１０、画像読取部２２０、画像処理部２３０、画像形成部２４０、給紙部２５０、画像出力部２６０、および操作表示部２７０を制御し、画像形成装置２００ＡのＭＦＰとしての機能を実現させる。また、本実施形態では、制御部２８０は、各部を制御して画像形成装置２００Ａを安否確認システムの一部として機能させる。
【００４５】
制御部２８０は、ＨＤＤ（Ｈａｒｄ  Ｄｉｓｋ  Ｄｒｉｖｅ）２８１、メモリ２８２、ＣＰＵ（Ｃｅｎｔｒａｌ  Ｐｒｏｃｅｓｓｉｎｇ  Ｕｎｉｔ）２８３、および通信Ｉ／Ｆ部２８４を有する。これらの構成要素は、バス２８５を介して相互に通信可能に接続されている。
【００４６】
ＨＤＤ２８１は、オペレーティングシステム、画像形成装置２００Ａの各部を制御する制御プログラム、安否確認システム用制御プログラム、ＯＣＲ処理用プログラムなどの各種のソフトウェアプログラム、安否確認システム用地図情報を格納する。
【００４７】
画像形成装置２００Ａの各部を制御する制御プログラムは、原稿供給部２１０、画像読取部２２０、画像処理部２３０、画像形成部２４０、給紙部２５０、画像出力部２６０、および操作表示部２７０を制御し、画像形成装置２００ＡをＭＦＰとして動作させるためのプログラムである。
【００４８】
また、安否確認システム用制御プログラムは、画像形成装置２００Ａを安否確認システムの一部として機能させるためのプログラムである。また、安否確認システム用地図情報（以下、地図情報と称する。）は、登録者が画像形成装置２００Ａを操作して安否情報を入力する際に補助的な役割を果たしたり、登録者の避難先までの経路を示したりする。地図情報の詳細については後述する。
【００４９】
メモリ２８２は、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）を備える。ＲＯＭには、各種のパラメータが記憶され、ＲＡＭには、上記ソフトウェアプログラムがＣＰＵ２８３によって実行される際にロードされるほか、安否情報、検索結果、検索者情報、各種演算結果などのデータが一時的に記憶される。長期間にわたる保存が必要とされるデータは、ＨＤＤ２８１に転送されて保存される。また、上記ソフトウェアプログラムのうちの一部をＲＯＭに記憶させておいてもよい。
【００５０】
ＣＰＵ２８３は、メモリ２８２にロードされた上記安否確認システム用制御プログラムに従って各種の命令および演算などを実行し、本実施形態の画像形成装置２００Ａを安否確認システムの一部として機能させる。
【００５１】
通信Ｉ／Ｆ部２８４は、ＬＡＮ（Ｌｏｃａｌ  Ａｒｅａ  Ｎｅｔｗｏｒｋ）を通じて他の画像形成装置およびサーバーとネットワーク接続を確立し、データの送受信を実行する。また、通信Ｉ／Ｆ部２８４は、ファクシミリ（ＦＡＸ）送信機を通じてメモリ２８２に記憶されている安否情報を他の画像形成装置２００のファクシミリ受信機に送信することもできる。
【００５２】
以上のとおり構成される本実施形態の画像形成システム１は、検索サーバー１００Ａ，１００Ｂおよび画像形成装置２００Ａ，２００Ｂを有し、これらはネットワーク３００Ａ，３００Ｂを通じて相互に通信可能に接続されている。画像形成装置２００Ａ，２００Ｂは、制御部２８０によって安否確認システム用制御プログラムを実行させて、画像形成装置２００Ａ，２００Ｂを安否確認システムの一部として機能させる。以下、安否確認システムについてより詳細に説明する。
【００５３】
＜安否確認システムの起動＞
まず、図３および図４を参照して、本実施形態の安否確認システムの起動手順についてより詳しく説明する。図３は本実施形態の安否確認システムの起動手順について説明するためのフローチャートであり、図４は本実施形態の管理者設定メニューの一例を示す図である。
【００５４】
図３に示すとおり、本実施形態の画像形成装置２００Ａは、災害が発生していない通常の状況において、通常のＭＦＰとして動作する（ステップＳ１０１）。画像形成装置２００Ａは、ＭＦＰとして原稿を複写したり、ファクシミリを送信したりする。
【００５５】
本実施形態の画像形成装置２００Ａの動作モードには、通常のＭＦＰとして動作する通常動作モードの他に管理者設定モードおよび安否確認モードがある。管理者設定モードは、画像形成装置２００Ａの各種設定を実行するための動作モードであり、安否確認モードは安否確認システムの一部として被災者の安否を確認する機能を実現するためのモードである。本実施形態の画像形成システム１では、災害時などの非常時に、画像形成装置２００Ａの管理者が操作表示部２７０のタッチパネルディスプレイやスイッチなどを操作することによって、画像形成装置２００Ａの動作モードを管理者設定モードへ切り替える。
【００５６】
次に、動作モードが管理者設定モードへ切り替えられたか否かを判断する（ステップＳ１０２）。動作モードが管理者設定モードへ切り替えられた場合（ステップＳ１０２：ＹＥＳ）、制御部２８０は、管理者設定メニューを表示する（ステップＳ１０３）。具体的には、図４に示すとおり、画像形成装置２００Ａの操作表示部２７０のタッチパネルディスプレイに管理者設定メニューが表示される。管理者設定メニューの選択項目としては、機器設定、ネットワーク設定、給紙設定、セキュリティ設定、および安否確認システム１０がある。画像形成装置２００Ａの管理者は、操作表示部２７０のタッチパネルディスプレイで上記選択項目のいずれかの項目を選択したのち、ＯＫ１１を選択する。
【００５７】
一方、動作モードが管理者設定モードへ切り替えられていない場合（ステップＳ１０２：ＮＯ）、ステップＳ１０１へ戻り、通常のＭＦＰとして動作を継続する。
【００５８】
次に、管理者設定メニューから安否確認システム１０が選択されたか否かを判断する（ステップＳ１０４）。安否確認システム１０が選択された場合（ステップＳ１０４：ＹＥＳ）、安否確認システム設定処理を実行する（ステップＳ１０５）。このとき動作モードは、管理者設定モードから安否確認モードへ切り替わる。動作モードが安否確認モードに切り替わると、画像形成装置２００Ａで実行中の通常の処理（たとえば通常のプリント処理など）はすべて中止され、画像形成装置２００Ａの各種設定、たとえばインターネット接続のオン／オフ設定などは安否確認モードに適した設定に変更される。したがって、たとえば安否確認モードに切り替わる前にインターネット接続のオン／オフ設定がオフに設定されていても安否確認モードに切り替わった時点でインターネット接続のオン／オフ設定はオンとなる。安否確認システム設定処理の具体的な処理内容については後述する。
【００５９】
一方、安否確認システムが選択されない場合（ステップＳ１０４：ＮＯ）、画像形成装置の各種設定処理を実行する（ステップＳ１０６）。図４に示すとおり、本実施形態の画像形成装置２００Ａの設定処理には、たとえば機器設定、ネットワーク設定、給紙設定、およびセキュリティ設定がある。これらの設定は、従来の画像形成装置の設定と同じであるので、その説明を省略する。
【００６０】
次に、管理者設定メニューにおいて、キャンセル１２が選択されたか否かが判断される（ステップＳ１０７）。キャンセル１２が選択されていない場合（ステップＳ１０７：ＮＯ）、ステップＳ１０３の処理へ戻る。一方、キャンセル１２が選択された場合（ステップＳ１０７：ＹＥＳ）、終了要求があるか否かが判断される（ステップＳ１０８）。終了要求は、たとえば画像形成装置２００Ａの電源がオフされた場合や一時的に処理を休止する場合などに発生する。終了要求がある場合（ステップＳ１０８：ＹＥＳ）、処理を終了する。一方、終了要求がない場合（ステップＳ１０８：ＮＯ）、ステップＳ１０１に戻り、ＭＦＰの通常動作を継続する。
【００６１】
＜安否確認システム設定処理＞
次に、図５Ａ〜図６を参照して、本実施形態の安否確認システム設定処理についてより詳しく説明する。図５Ａおよび図５Ｂは本実施形態の安否確認システム設定について説明するためのフローチャートであり、図６は本実施形態の安否確認システム設定メニューの一例を示す図である。
【００６２】
本実施形態の安否確認設定処理では、安否確認システムの起動・停止、安否確認検索サーバーの登録、地図情報の更新などの設定を実行する。
【００６３】
図５Ａに示すとおり、まず、安否確認システム設定メニューを表示する（ステップＳ２０１）。具体的には、制御部２８０は、操作表示部２７０のタッチパネルディスプレイに安否確認システム設定メニューを表示する。図６に示すとおり、安否確認システム設定メニューの選択項目としては、安否確認システム起動１３、安否確認システム停止１４、検索サーバー追加１５、および地図情報更新１６がある。登録者は、上記選択項目のいずれかを選択し、ＯＫ１７を選択する。
【００６４】
次に、安否確認システム設定メニューにおいて、安否確認システム起動１３が選択されたか否かを判断する（ステップＳ２０２）。安否確認システム起動１３が選択された場合（ステップＳ２０２：ＹＥＳ）、画像形成装置２００Ａの現在の環境設定を保存する（ステップＳ２０３）。画像形成装置２００Ａの環境設定としては、たとえば画像形成装置２００Ａの特定の利用者に対しての使用制限の設定などが挙げられる。
【００６５】
次に、環境設定を安否確認システム用の設定に変更する（ステップＳ２０４）。たとえば、画像形成装置２００Ａの特定の利用者に対して使用制限が設定されている場合、使用制限を解除して全ての利用者が安否確認システムを利用できるように環境設定を変更する。
【００６６】
次に、送信確認処理を実行する（ステップＳ２０５）。制御部２８０は、安否確認システムの動作中において、一定時間間隔でネットワーク状態を監視し、ネットワーク接続の状態に応じて、送信要求されている安否情報があれば送信し、安否情報の検索要求があれば検索結果を送信する。送信要求は、登録者が画像形成装置２００Ａまたは画像形成装置２００Ｂを操作して安否情報を入力して登録した時点で発生する。また、検索要求は、検索者が画像形成装置２００Ａまたは画像形成装置２００Ｂを操作して検索情報を入力して検索を開始した時点で発生する。
【００６７】
ネットワーク接続が可能である場合、画像形成装置２００Ａまたは画像形成装置２００Ｂは、送信要求に基づいて直ちに安否情報を検索サーバー１００Ａに送信する。また、検索情報および検索要求を検索サーバー１００Ａに送信する。一方、ネットワーク設備が災害の影響を受けて接続できない場合、画像形成装置２００Ａまたは画像形成装置２００Ｂは、送信要求、検索情報および検索要求をネットワーク接続が復旧するまで一時的に保持しておく。送信確認処理についての詳細は後述する。
【００６８】
次に、安否確認メイン処理を実行する（ステップＳ２０６）。安否確認メイン処理では、安否情報の登録、更新、検索、入力用紙印刷の各処理を選択的に実行する。安否確認メイン処理の詳細についても後述する。
【００６９】
次に、安否確認システム設定メニューにおいて、キャンセル１８が選択されたか否かを判断する（ステップＳ２０７）。キャンセル１８が選択されていない場合（ステップＳ２０７：ＮＯ）、ステップＳ２０１の処理に戻る。一方、キャンセル１８が選択された場合（ステップＳ２０７：ＹＥＳ）、図３のステップＳ１０７の処理に移行する。
【００７０】
一方、安否確認システム設定メニューにおいて、安否確認システム起動１３が選択されていない場合（ステップＳ２０１：ＮＯ）、安否確認システム停止１４が選択されたか否かを判断する（ステップＳ２０８）。安否確認システム停止１４が選択された場合（ステップＳ２０８：ＹＥＳ）、安否確認システムを停止する（ステップＳ２０９）。なお、安否確認システムを起動中に安否確認システム停止１４が選択された場合も安否確認システムを停止する。制御部２８０は、環境設定を安否確認システム起動前の状態に戻す（ステップＳ２１０）。
【００７１】
次に、安否確認システム設定メニューにおいて、キャンセル１８が選択されたか否かについて判断する（ステップＳ２０７）。キャンセル１８が選択されていない場合（ステップＳ２０７：ＮＯ）、ステップＳ２０１の処理に戻る。一方、キャンセル１８が選択された場合（ステップＳ２０７：ＹＥＳ）、図３のステップＳ１０７の処理に移行する。
【００７２】
一方、安否確認システム停止１４が選択されていない場合（ステップＳ２０８：ＮＯ）、図５Ｂに示すとおり、安否確認検索サーバー追加１５が選択されたか否かを判断する（ステップＳ２１１）。安否確認検索サーバー追加１５が選択された場合（ステップＳ２１１：ＹＥＳ）、制御部２８０は、追加される安否確認検索サーバーのＩＰアドレスを受け付ける（ステップＳ２１２）。次に、制御部２８０は、入力された安否確認検索サーバーのＩＰアドレスをＨＤＤ２８１に保存する（ステップＳ２１３）。
【００７３】
次に、安否確認システム設定メニューにおいて、キャンセル１８が選択されたか否かを判断する（ステップＳ２０７）。キャンセル１８が選択されていない場合（ステップＳ２０７：ＮＯ）、ステップＳ２０１の処理に戻る。一方、キャンセル１８が選択された場合（ステップＳ２０７：ＹＥＳ）、図３のステップＳ１０７の処理に移行する。
【００７４】
一方、安否確認検索サーバー追加１５が選択されていない場合（ステップＳ２１１：ＮＯ）、地図情報更新１６が選択されたか否かを判断する（ステップＳ２１４）、地図情報更新１６が選択された場合（ステップＳ２１４：ＹＥＳ）、地図情報を更新する（ステップＳ２１５）。具体的には、ＣＤ、ＤＶＤなどの記録媒体またはインターネットを通じて最新の地図情報をダウンロードする。そして、地図情報をＨＤＤ２８１に保存する（ステップＳ２１６）。このように、本実施形態の画像形成装置２００Ａは地図情報を備えているので、登録者が周辺の避難場所へ移動したい場合に避難経路を示した地図を印刷することができる。
【００７５】
次に、安否確認システム設定メニューにおいて、キャンセル１８が選択されたか否かを判断する（ステップＳ２０７）。キャンセル１８が選択されていない場合（ステップＳ２０７：ＮＯ）、ステップＳ２０１の処理に戻る。一方、キャンセル１８が選択された場合（ステップＳ２０７：ＹＥＳ）、図３のステップＳ１０７の処理に移行する。
【００７６】
一方、地図情報更新１６が選択されなかった場合（ステップＳ２１４：ＮＯ）、ステップＳ２０１の処理に移行する。
【００７７】
＜送信確認処理＞
本実施形態の画像形成装置２００Ａ，２００Ｂは、検索サーバー１００Ａとネットワーク接続可能か否かを一定時間ごとに監視しており、ネットワーク接続が可能ではない場合、検索サーバー１００Ａへ安否情報を送信するための送信要求を一時的に保持する。そして、その後ネットワーク接続が可能となった場合、上記送信要求に基づいて安否情報を検索サーバー１００Ａまたは検索サーバー１００Ｂに送信する。
【００７８】
また、画像形成装置２００Ａ，２００Ｂは、ネットワーク接続が可能ではない場合、検索サーバー１００Ａへ送信する検索情報および検索要求を一時的に保持する。そして、その後ネットワーク接続が可能となった場合、検索情報および検索要求を検索サーバー１００Ａへ送信する。
【００７９】
以下、図７Ａおよび図７Ｂを参照して、送信確認処理についてより詳細に説明する。図７Ａおよび図７Ｂは本実施形態の送信確認処理について説明するためのフローチャートである。
【００８０】
図７Ａに示すとおり、まず、ネットワーク接続を監視する監視タイマーがタイムアウトしたか否かを判断する（ステップＳ３０１）。監視タイマーがタイムアウトしていない場合（ステップＳ３０１：ＮＯ）、監視タイマーがタイムアウトするまで待機する。一方、監視タイマーがタイムアウトした場合（ステップＳ３０１：ＹＥＳ）、監視タイマーを停止する（ステップＳ３０２）。
【００８１】
次に、ネットワーク接続が可能であるか否かを判断する（ステップＳ３０３）。上記監視タイマーは、一定時間経過するとタイムアウトするように構成されているので、監視タイマーがタイムアウトしたか否かを検知することにより、ネットワーク接続が可能であるか否かを一定時間間隔で判断することができる。ネットワーク接続が可能でない場合（ステップＳ３０３：ＮＯ）、図７Ｂに示すとおり、監視タイマーを起動する（ステップＳ３１０）。そして、終了要求があるか否かを判断する（ステップＳ３１１）。終了要求がある場合（ステップＳ３１１：ＹＥＳ）、処理を終了する。一方、終了要求がない場合（ステップＳ３１１：ＮＯ）、ステップＳ３０１の処理に戻る。
【００８２】
一方、ネットワーク接続が可能である場合（ステップＳ３０３：ＹＥＳ）、送信要求されている安否情報があるか否かを判断する（ステップＳ３０４）。送信要求されている安否情報がある場合（ステップＳ３０４：ＹＥＳ）、送信要求されている安否情報を画像形成装置２００Ａから検索サーバー１００Ａへ送信する（ステップＳ３０５）。たとえば、登録者が画像形成装置２００Ａを操作して安否情報１を登録すると、安否情報１を検索サーバー１００Ａに送信するための送信要求が発生する。送信要求されている安否情報１があるので、画像形成装置２００Ａは、検索サーバー１００Ａに安否情報１を送信する。
【００８３】
次に、安否情報の検索要求があるか否かを判断する（ステップＳ３０６）。安否情報の検索要求がある場合（ステップＳ３０６：ＹＥＳ）、検索サーバー１００Ａは、検索情報に基づいて安否情報を検索する。検索サーバー１００Ａに安否情報が存在しない場合、検索サーバー１００Ｂに安否情報を検索するように指示することもできる。そして、検索サーバー１００Ａ，１００Ｂは、検索結果を検索要求があった画像形成装置へ送信する（ステップＳ３０７）。たとえば、画像形成装置２００Ａに登録されている安否情報１を検索者が画像形成装置２００Ｂを操作して検索する場合、検索サーバー１００Ａは、検索情報を使用して安否情報１を検索する。そして、検索サーバー１００Ａは、検索結果を画像形成装置２００Ｂに送信する。一方、安否情報の検索要求がない場合（ステップＳ３０６：ＮＯ）、ステップＳ３１０の処理へ移行する。
【００８４】
次に、検索結果が１件以上あるか否かを判断する（ステップＳ３０８）。検索結果が１件以上ある場合（ステップＳ３０８：ＹＥＳ）、検索結果をＨＤＤ２８１に保存する（ステップＳ３０９）。一方、検索結果が１件もない場合（ステップＳ３０８：ＮＯ）、ステップＳ３１０の処理へ移行する。
【００８５】
このように、本実施形態の画像形成装置２００Ａ，２００Ｂは、検索サーバー１００Ａとネットワーク接続可能か否かを一定時間ごとに監視しており、ネットワーク接続が可能ではない場合、ネットワーク接続が可能となるまで送信要求および検索要求を保持する。したがって、災害によりネットワークが寸断して、画像形成装置２００Ａ，２００Ｂと検索サーバー１００Ａとの間で安否情報のやり取りができない場合でも、ネットワークの復旧後すぐに安否情報のやり取りを再開できる。
【００８６】
＜安否確認メイン処理＞
以下、図８〜図１０を参照して、本実施形態の安否確認メイン処理について説明する。図８は本実施形態の安否確認メイン処理を説明するためのフローチャートであり、図９は安否確認システムメニューの一例を説明するための図であり、図１０は本実施形態の安否情報項目一覧の一例を示す図である。
【００８７】
図８に示すとおり、まず、安否確認システムメニューを表示する（ステップＳ４０１）。安否確認システムメニューには、図９に示すように選択項目として登録１９、更新２０、入力用紙印刷２１、および検索２２が表示される。
【００８８】
次に、安否確認システムメニューにおいて、登録１９、更新２０、入力用紙印刷２１、および検索２２のいずれかが選択されたか否かを判断する（ステップＳ４０２、ステップＳ４０５、ステップＳ４０７、ステップＳ４０９）。
【００８９】
安否確認システムメニューにおいて、登録１９が選択された場合（ステップＳ４０２：ＹＥＳ）、安否情報登録処理を実行する（ステップＳ４０３）。安否情報登録処理では、登録者は、安否情報の入力方法を選択し、各々の入力方法に応じて安否情報を入力する。安否情報登録処理の処理手順の詳細については後述する。
【００９０】
また、安否確認システムメニューにおいて、更新２０が選択された場合（ステップＳ４０５：ＹＥＳ）、安否情報更新処理を実行する（ステップＳ４０６）。安否情報更新処理では、安否情報登録処理で入力した安否情報を更新する。本実施形態の安否確認システムでは、被災者である安否情報の登録者は、たとえば避難場所などの目的地へ向かって移動する際に途中のコンビニエンスストアや公共施設の画像形成装置で安否情報を更新できる。このように、登録者が目的地までの移動経路において安否情報を逐次更新することにより、検索者は登録者のおおよその移動経路を把握することができる。上記安否情報更新処理の処理手順の詳細については後述する。
【００９１】
また、安否確認システムメニューにおいて、入力用紙印刷２１が選択された場合（ステップＳ４０７：ＹＥＳ）、安否情報項目を用紙に印刷して出力する（ステップＳ４０８）。図１０に示すとおり、本実施形態の安否情報システムでは、安否情報項目として、名前、性別、生年月日、登録場所、登録日時、所属、目的地、住所、コメント、連絡先、送信先、および画像を登録することができる。
【００９２】
登録場所および登録日時は、登録者によって入力されてもよいし、画像形成装置２００Ａによって付与されてもよい。画像形成装置２００Ａが付与する場合、登録場所については、画像形成装置２００Ａの設置位置を制御部２８０のＨＤＤ２８１などに予め入力しておくことにより付与することができる。また、登録日時については、制御部２８０に内蔵されているリアルタイムクロックを利用して付与することができる。
【００９３】
所属は、登録者が所属している組織の名称であり、たとえば会社、学校、団体などの名称である。
【００９４】
目的地は、登録者が向かっている場所であり、たとえば番地、建物名、施設名、通称、緯度・経度などで表記されうる。また、目的地は登録者の最終目的地だけではなく、経由地を含むように構成することも可能である。登録者は、最終的な目的地および経由地を登録しておくことができるので、検索者は、登録者が登録場所からどこへ向かって移動しているのかを検索結果から把握することができる。その結果、登録者の現在のおおよそ位置を推測することができる。なお、後述するように、目的地は、操作表示部２７０のタッチパネルディスプレイに地図を表示して指定してもよい。
【００９５】
住所は、登録者の自宅や所属している組織の住所であり、複数登録することができる。
【００９６】
コメントは、登録者から検索者へのメッセージである。たとえば、登録者が検索者に無事である旨を伝える場合に使用される。
【００９７】
連絡先は、登録者の連絡先であり、たとえばメールアドレス、電話番号、ＦＡＸ番号である。複数登録することも可能である。
【００９８】
送信先は、登録者の安否情報を送信する送信先であり、たとえばメールアドレス、電話番号、ＦＡＸ番号である。複数登録することも可能である。
【００９９】
画像は、付加的に添付される画像であり、たとえば安否情報の付加情報、登録場所の地図などである。
【０１００】
また、安否確認システムメニューにおいて、検索２２が選択された場合（ステップＳ４０９：ＹＥＳ）、安否情報検索処理を実行する（ステップＳ４１０）。安否情報検索処理では、検索情報の入力方法を選択し、入力された検索情報に基づいて登録者の安否情報を検索する。安否情報検索処理の処理手順の詳細については後述する。
【０１０１】
登録１９、更新２０、入力用紙印刷２１、および検索２２のいずれかの処理が実行されたのち、終了２３が選択されたか否かを判断する（ステップＳ４０４）。終了２３が選択されていない場合（ステップＳ４０４：ＮＯ）、ステップＳ４０１の処理に戻る。一方、終了２３が選択された場合（ステップＳ４０４：ＹＥＳ）、図５ＡのステップＳ２０７の処理に移行する。
【０１０２】
＜安否情報登録処理＞
次に、図１１Ａ〜図１７Ｃを参照して、本実施形態の安否情報システムにおける安否情報登録処理手順について説明する。図１１Ａは画像形成装置の操作表示部を使用して安否情報を入力する場合の安否情報登録方法を説明するための図であり、図１１Ｂは入力用紙に安否情報を記入したのち画像として読み込む場合の安否情報登録方法を説明するための図であり、図１１Ｃは所定形式の用紙を画像として読み込む場合の安否情報登録方法を説明するための図である。
【０１０３】
また、図１２は本実施形態の安否情報登録処理手順を説明するためのフローチャートであり、図１３は本実施形態の安否情報登録メニューの一例を説明するための図である。また、図１４は本実施形態の安否情報登録画面の一例を示す図であり、図１５は本実施形態の画像形成装置が備える地図情報を使用して目的地を指定する方法を説明するための図である。また、図１６は本実施形態の画像形成装置の安否情報登録完了画面の一例を示す図であり、図１７Ａおよび図１７Ｂは本実施形態の安否情報登録内容の確認について説明するフローチャートである。
【０１０４】
本実施形態では、安否情報を直接入力および画像読込のいずれかの方法を用いて入力することができる。図１１Ａに示すとおり、直接入力で安否情報を登録する場合、安否情報の登録者は画像形成装置２００Ａの操作表示部２７０のタッチパネルディスプレイを使用して、安否情報項目を１つ１つ直接入力する。
【０１０５】
一方、図１０Ｂおよび図１０Ｃに示すとおり、画像読込による安否情報登録には、以下の２つの方法がある。１つ目の方法は、図８のステップＳ４０８で印刷された入力用紙に登録者が安否情報を記入し、その入力用紙を画像読取部２２０で読み取って入力する方法である。２つ目の方法は、たとえば身分証明書のような形式が定められた文書を画像読取部２２０で読み取って入力する方法である。
【０１０６】
入力用紙に登録者が安否情報を記入して読み込む場合、画像形成装置２００Ａの制御部２８０は、原稿供給部２１０の原稿供給口に載置された入力用紙を画像読取部２２０に供給し、画像読取部２２０は入力用紙を画像として読み込んで入力する。そして、制御部２８０は、ＯＣＲ（Ｏｐｔｉｃａｌ  Ｃｈａｒａｃｔｅｒ  Ｒｅｃｏｇｎｉｔｉｏｎ）処理用プログラムを実行して、読込まれた画像をＯＣＲ処理して安否情報を取得し、ＨＤＤ２８１に登録する。
【０１０７】
本実施形態の画像形成装置２００Ａは、ＡＤＦを備えた原稿供給部２１０を有する。したがって、多数の登録者に入力用紙を配布し、各々の登録者が安否情報を記入したのち、原稿供給部２１０の原稿供給口に重ねて載置しておけば、入力用紙が１枚ずつ読み込まれて、各々の登録者の安否情報が登録される。その結果、短時間で多くの登録者の安否情報を登録できる。
【０１０８】
また、身分証明書を読み込む場合も、入力用紙に記入して読み込む場合と同様に、身分証明書の記載事項を画像読取部２２０で読み取って安否情報を登録できる。しかし、身分証明書には所属、連絡先、送信先などの情報が記載されていない場合があるので、身分証明書を読み取る場合は、直接入力を併用して情報の不足分を補うこともできる。
【０１０９】
図１２に示すとおり、まず、安否情報登録メニューを表示する（ステップＳ５０１）。安否情報登録メニューには、図１３に示すように選択項目として直接入力２４および入力用紙読み込み２５が表示される。
【０１１０】
次に、安否情報登録メニューにおいて、直接入力２４および入力用紙読み込み２５のいずれかが選択されたか否かを判断する（ステップＳ５０２、ステップＳ５０４）。直接入力２４が選択された場合（ステップＳ５０２：ＹＥＳ）、図１４に示すような安否情報登録画面が表示される（ステップＳ５０３）。安否情報項目は、操作表示部２７０を通じて登録者によってすべて直接入力される。登録２７が選択された場合、登録が確定する。
【０１１１】
なお、安否情報登録画面において、選択（地図）２８を選択すると、図１５に示されるように登録場所および目的地を含む地図が表示される。地図上には、登録場所（現在地）および目的地の他、主な公共施設、画像形成システム１にネットワーク接続された他の画像形成装置などの位置が示される。地図上の目的地の位置を変更して、ＯＫ２９を選択することにより、表示される目的地を変更することもできる。
【０１１２】
一方、安否情報登録メニューにおいて、入力用紙読み込み２５が選択された場合（ステップＳ５０４：ＹＥＳ）、入力用紙を読み込む（ステップＳ５０５）。具体的には、登録者は、図８のステップＳ４０８で印刷された入力用紙の安否情報項目の各々の欄に記入し、画像形成装置２００Ａの原稿供給部２１０の原稿供給口に載置する。原稿供給部２１０は、入力用紙を画像読取部２２０に供給し、画像読取部２２０は入力用紙を画像として読み込む。制御部２８０は、ＯＣＲ処理用プログラムを実行し、入力用紙の画像データに基づいて登録者の安否情報を取得する。そして、直接入力２４で安否情報を入力した場合と同様に図１４に示すような安否情報登録画面が表示される。そして、安否情報登録画面において、登録２７が選択された場合、登録が確定する。
【０１１３】
次に、安否情報登録内容を確認する（ステップＳ５０６）。制御部２８０は、入力された安否情報に不備がないことと、登録ＩＤの有無とを確認したのち、安否情報をＨＤＤ２８１に保存する。登録ＩＤは、登録者を識別するためのＩＤであり、登録者ごとに一意に決定される。登録ＩＤとしては、たとえば操作中の画像形成装置２００Ａのシリアル番号、登録日時および、登録情報の文字列を結合した値のハッシュ値をとった値などが使用される。しかしながら、登録ＩＤはこのような方法で作成される場合に限定されず、他の方法で作成してもよい。また、制御部２８０は、画像形成装置２００Ａにおける登録者に関する検索要求の有無を確認する。安否情報登録内容の確認の詳細については後述する。
【０１１４】
次に、安否情報登録完了画面を表示する（ステップＳ５０７）。図１６に示すとおり、安否情報登録完了画面には、安否情報の登録が完了した旨のメッセージが登録ＩＤとともに表示される。また、登録者に関する検索要求がある場合は、検索者が登録者を探している旨のメッセージを表示する。安否情報登録完了画面において、印刷３０が選択された場合、登録者に関する安否情報の一覧と登録場所および目的地を示す地図とが用紙に印刷される。また、表示３１が選択された場合、検索者の安否情報が表示される。
【０１１５】
次に、安否情報登録メニューにおいて、終了３２が選択されたか否かを判断する（ステップＳ５０８）。終了３２が選択された場合（ステップＳ５０８：ＹＥＳ）、安否情報登録完了画面を消去して図８のステップＳ４０４の処理へ移行する。一方、終了３２が選択されていない場合（ステップＳ５０７：ＮＯ）、ステップＳ５０１の処理へ戻る。
【０１１６】
＜安否情報登録内容の確認＞
図１７Ａに示すとおり、まず、入力された安否情報に不備がないか否かを判断する（ステップＳ６０１）。安否情報に不備がある場合（ステップＳ６０１：ＮＯ）、安否情報に不備がある旨を登録者に指摘する不備指摘画面を表示し（ステップＳ６０２）、図１２のステップＳ５０１の処理に戻る。入力された安否情報が不備とされるのは、たとえば入力された安否情報に登録者の名前など必須の安否情報項目の内容が欠落している場合や入力された情報に明らかな誤りがある場合などである。
【０１１７】
一方、安否情報に不備がない場合（ステップＳ６０１：ＹＥＳ）、登録ＩＤが存在するか否かが判断される（ステップＳ６０３）。登録ＩＤが存在しない場合（ステップＳ６０３：ＮＯ）、登録ＩＤを新規作成する（ステップＳ６０３）。一方、登録ＩＤが存在する場合（ステップＳ６０３：ＹＥＳ）、入力された安否情報をＨＤＤ２８１に保存する。
【０１１８】
次に、検索要求があるか否かを判断する（ステップＳ６０６）。登録者の検索要求がある場合（ステップＳ６０６：ＹＥＳ）、検索者の安否情報を一時的に保存する（ステップＳ６０７）。
【０１１９】
次に、図１７Ｂに示すとおり、ネットワーク接続が可能か否かを判断する（ステップＳ６０８）。ネットワーク接続が可能である場合（ステップＳ６０８：ＹＥＳ）、検索サーバー１００Ａへ登録者の安否情報の検索要求を確認する（ステップＳ６０９）。そして、検索サーバー１００Ａへ登録者の安否情報の検索要求があるか否かを判断する（ステップＳ６１０）。検索サーバー１００Ａへ安否情報の検索要求がある場合（ステップＳ６１０：ＹＥＳ）、検索者の安否情報を一時的に保存する（ステップＳ６１１）。そして、図１２のステップＳ５０７の処理に移行する。
【０１２０】
＜安否情報更新処理＞
次に、図１８および図１９を参照して、本実施形態の安否情報更新処理について説明する。図１８は本実施形態の安否情報更新処理について説明するためのフローチャートであり、図１９は本実施形態の安否情報更新メニューの一例を示す図である。
【０１２１】
図１８に示すとおり、まず、登録ＩＤの入力を受け付ける（ステップＳ７０１）。具体的には、図１９に示すとおり、安否情報更新メニューを表示して、登録ＩＤの入力を登録者に促す。登録者は、登録時に通知された登録ＩＤ（登録済みＩＤ）を入力して、ＯＫ３３を選択する。
【０１２２】
次に、入力された登録ＩＤを画像形成装置２００Ａの登録情報から検索する（ステップＳ７０２）。具体的には、入力された登録ＩＤを登録者が操作している画像形成装置２００ＡのＨＤＤ２８１に保存されている登録情報から検索する。そして、登録ＩＤが存在するか否かを判断する（ステップＳ７０３）。入力された登録ＩＤが画像形成装置２００Ａに存在する場合（ステップＳ７０３：ＹＥＳ）、画像形成装置２００Ａに保存されている登録情報を読み込む（ステップＳ７０４）。そして、読み込まれた登録情報に基づいて、安否情報登録処理の場合と同様に図１４に示すような安否情報登録画面を表示する。登録者は、更新が必要な安否情報項目について操作表示部２７０を介して更新する。
【０１２３】
次に、安否情報登録処理の場合と同様に登録内容を確認（ステップＳ７０５）し、安否情報登録完了画面を表示する（ステップＳ７０６）。そして、安否情報更新メニューにおいて、終了３４が選択されたか否かを判断する（ステップＳ７０７）。終了３４が選択された場合（ステップＳ７０７）、図５ＡのステップＳ２０７の処理に戻る。
【０１２４】
一方、入力された登録ＩＤが画像形成装置２００Ａに存在しない場合（ステップＳ７０３：ＮＯ）、ネットワーク接続が可能か否かを判断する（ステップＳ７０８）。ネットワーク接続が可能である場合（ステップＳ７０８：ＹＥＳ）、入力された登録ＩＤを検索サーバー１００Ａの登録情報から検索する（ステップＳ７０９）。
【０１２５】
次に、登録ＩＤが存在するか否かを判断する（ステップＳ７１０）。入力された登録ＩＤが検索サーバー１００Ａに存在する場合（ステップＳ７１０：ＹＥＳ）、検索サーバー１００Ａに保存されている登録情報を読み込む（ステップＳ７１１）。そして、読み込まれた登録情報に基づいて、安否情報登録処理の場合と同様に図１４に示すような安否情報登録画面を表示する。登録者は、更新が必要な安否情報項目について操作表示部２７０を介して更新する。
【０１２６】
次に、安否情報登録処理の時と同様に登録内容を確認（ステップＳ７０５）し、安否情報登録完了画面を表示する（ステップＳ７０６）。
【０１２７】
一方、ネットワーク接続が可能ではない場合（ステップＳ７０８：ＮＯ）、ならびに入力された登録ＩＤが検索サーバー１００Ａに存在しない場合（ステップＳ７１０：ＮＯ）は、登録ＩＤが存在しない旨を通知する（ステップＳ７１２）。登録ＩＤが存在しない場合、新規に安否情報を登録する必要があるので、図１２のステップＳ５０１の処理に移行する。
【０１２８】
＜安否情報検索処理＞
次に、図２０Ａ〜図２８を参照して、本実施形態の安否情報検索処理について説明する。図２０Ａ〜図２０Ｃは本実施形態の安否情報検索処理を説明するためのフローチャートであり、図２１は本実施形態の安否情報検索メニューの一例を示す図である。また、図２２は本実施形態において、安否情報検索の個人指定検索画面の一例を示す図であり、図２３は本実施形態において、安否情報検索の地図範囲指定画面の一例を示す図である。また、図２４は本実施形態の検索結果リスト画面の一例を示す図であり、図２５は本実施形態の地図範囲指定により検索した場合の検索結果リスト画面の一例を示す図である。また、図２６は本実施形態の安否情報詳細表示画面の一例を示す図であり、図２７は本実施形態の安否情報経路画面の一例を示す図である。
【０１２９】
図２０Ａに示すとおり、まず、安否情報検索メニューを表示する（ステップＳ８０１）。図２１に示すとおり、安否情報検索メニューには、選択項目として直接入力３５、検索用紙読み込み３６、地図範囲指定３７、および検索用紙印刷３８が表示される。
【０１３０】
次に、直接入力３５、検索用紙読み込み３６、地図範囲指定３７、および検索用紙印刷３８のうちのいずれかが選択されたか否かを判断する（ステップＳ８０２、ステップＳ８０４、ステップＳ８０６、ステップＳ８０９）。安否情報検索メニューにおいて、直接入力３５が選択された場合（ステップＳ８０２：ＹＥＳ）、図２２に示すように安否情報検索の個人指定検索画面を表示する（ステップＳ８０３）。検索者は、個人指定検索画面に表示された検索項目について入力し、検索３９を選択する。検索項目としては、名前、性別、生年月日、所属、目的地、登録日、および検索結果の送信先が挙げられる。これらのうち、名前、性別、および生年月日は必須の検索項目であり、未記入で検索３９を選択した場合、検索項目の記入に不備がある旨のメッセージが表示される。また、検索結果の送信先は、現時点でネットワーク接続ができない場合においてネットワーク接続が復旧してから検索結果を送信するための送信先である。制御部２８０は、ネットワーク接続が復旧すると、送信手段（ネットワーク／ファクシミリ）および送信先を判別し、検索結果を送信することができる。
【０１３１】
一方、検索用紙読み込み３６が選択された場合（ステップＳ８０４：ＹＥＳ）、検索用紙を読み込む（ステップＳ８０５）。具体的には、検索者は、印刷された検索用紙の検索項目の各々の欄に記入し、画像形成装置２００の原稿供給部２１０の原稿供給口に載置する。検索用紙は、図２２に示す個人指定検索画面で表示される検索項目と同じものが記載されている。原稿供給部２１０は、検索用紙を画像読取部２２０に供給し、画像読取部２２０は検索用紙を画像として読み取る。制御部２８０は、ＯＣＲ処理用プログラムを実行し、検索用紙の画像データに基づいて検索項目に対する記載内容を取得する。
【０１３２】
本実施形態の画像形成装置２００Ａは、ＡＤＦを備えた原稿供給部２１０を有する。したがって、多数の検索者に検索用紙を配布し、各々の検索者が検索情報を記入したのち、原稿供給部２１０の原稿供給口に重ねて載置しておけば、検索用紙が１枚ずつ読み込まれて、各々の検索者の検索情報が入力される。その結果、短時間で多くの登録者の安否情報を検索できる。
【０１３３】
一方、地図範囲指定３７が選択された場合（ステップＳ８０６：ＹＥＳ）、図２３に示すような安否情報検索の地図範囲指定画面を表示する（ステップＳ８０７）。安否情報検索の地図範囲指定画面には、地図上に現在地、主な公共施設、稼働している他の画像形成装置の設置場所などが表示される。検索者は、操作表示部２７０を使用してドラッグ操作することにより地図上の検索範囲を指定し、検索３９を選択する。
【０１３４】
以上の処理において、直接入力３５、検索用紙読み込み３６、または地図範囲指定３７が選択された場合、入力された検索項目に基づいて検索条件を設定する（ステップＳ８０８）。たとえば、すべての検索項目について完全に一致することを検索条件とすることができる。また、たとえば名前、性別などの検索項目については、完全に一致することを条件とし、所属、目的地などの検索項目については完全または部分的な一致を条件とするように設定することもできる。
【０１３５】
一方、検索用紙印刷３８が選択された場合（ステップＳ８０９：ＹＥＳ）、検索用紙を印刷する（ステップＳ８１０）。検索用紙には、図２２に示す個人指定検索画面に表示される検索項目と同じものが記載されている。検索用紙を印刷した後、ステップＳ８０１の処理に戻る。検索用紙印刷３８が選択されない場合（ステップＳ８０９：ＮＯ）も、ステップＳ８０１の処理に戻る。
【０１３６】
本実施形態では、検索者が操作している画像形成装置２００Ｂおよび検索サーバー１００Ａの登録情報から上記検索条件で検索する。また、必要に応じて、上記検索項目のうちの一部が一致する条件で検索する。具体的な検索手順は以下のとおりである。なお、特定の検索条件について探索する検索アルゴリズムは周知の技術であるので、その説明を省略する。
【０１３７】
まず、画像形成装置２００Ｂの登録情報から検索する（ステップＳ８１１）。具体的には、検索者が操作している画像形成装置２００Ｂの登録情報から上記検索条件を用いて検索する。
【０１３８】
次に、検索結果が１件以上あるか否かを判断する（ステップＳ８１２）。検索結果が１件以上ある場合（ステップＳ８１２：ＹＥＳ）、検索結果一覧に検索結果を保持する（ステップＳ８１３）。検索結果一覧は、画像形成装置２００ＢのＨＤＤ２８１に保存されている。
【０１３９】
次に、ネットワーク接続が可能か否かを判断する（ステップＳ８１４）。ネットワーク接続が可能である場合（ステップＳ８１４：ＹＥＳ）、検索サーバー１００Ａへ問い合わせる（ステップＳ８１５）。検索サーバー１００Ａは、検索条件に基づいて安否情報を検索する。一方、ネットワーク接続が可能でない場合（ステップＳ８１４：ＮＯ）、ステップＳ８１８の処理へ移行する。
【０１４０】
次に、検索結果が１件以上あるか否かを判断する（ステップＳ８１６）。検索結果が１件以上ある場合（ステップＳ８１６：ＹＥＳ）、検索結果一覧に検索結果を保持する（ステップＳ８１７）。
【０１４１】
次に、部分一致する条件で検索するか否かを判断する（ステップＳ８１８）。部分一致する条件で検索を実行するか否かの設定は、所定の方法で予め設定される。部分一致する条件で検索を実行しない場合（ステップＳ８１８：ＮＯ）、合計の検索結果が１件以上か否かを判断する（ステップＳ８１９）。合計の検索結果が１件以上である場合（ステップＳ８１９：ＹＥＳ）、図２４に示すように検索結果リスト画面を表示する（ステップＳ８２０）。検索結果リスト画面には、名前、性別、生年月日、登録場所、コメントについてリストが表示される。また、地図範囲指定により検索した場合は、図２５に示すような検索結果リスト画面が表示される。検索結果リスト画面において、印刷４１，４２を選択すると、検索結果リストが印刷される。
【０１４２】
また、検索結果リスト画面において、リスト中の人物が選択された場合、図２６に示すような安否情報詳細表示画面が表示される。図２６に示す例は、図２４の検索結果リスト画面に表示された４件の「ニホン  タロウ」のうちの一番目を選択した場合である。安否情報詳細表示画面には、登録場所、登録日時、名前、性別、生年月日、所属、目的地、連絡先、送信先、コメントの内容が表示される。安否情報詳細表示画面において、印刷４４を選択すると、安否情報詳細表示画面が印刷される。
【０１４３】
さらに、安否情報詳細表示画面において、経路情報詳細表示４３を選択すると、図２７に示すように安否情報経路画面が表示される。安否情報経路画面には、登録者（Ａさん）が登録場所から目的地に至るまでの経路が地図上に表示される。安否情報経路画面において、印刷４５を選択すると、安否情報経路画面が印刷される。
【０１４４】
一方、部分一致する条件で検索を実行する場合（ステップＳ８１８：ＹＥＳ）または合計の検索結果が１件以上ではない場合（ステップＳ８１９：ＮＯ）、検索者が操作している画像形成装置２００Ｂの登録情報から上記検索項目の部分一致する条件で検索し、検索結果を検索結果一覧に保持する（ステップＳ８２１〜ステップＳ８２３）。また、ネットワーク接続が可能である場合、検索サーバー１００Ａへ問い合わせ、検索結果を検索結果一覧に保持する（ステップＳ８２４〜ステップＳ８２７）。
【０１４５】
そして、合計の検索結果が１件以上か否かを判断する（ステップＳ８２８）。合計の検索結果が１件以上である場合（ステップＳ８２８：ＹＥＳ）、図２８に示すように関連人物結果リスト画面を表示する（ステップＳ８２９）。部分一致する条件で検索を実行した場合は、登録者に関連する人物（ＢさんおよびＣさん）の移動経路についても地図上に表示される。関連人物結果リスト画面において、印刷４６を選択すると、関連人物結果リスト画面が印刷される。
【０１４６】
このように、災害時に登録者が移動しながらコンビニエンスストア、公共施設などに設置された画像形成装置から安否情報を逐次更新することにより、検索者は、登録者が、いつ、どこを通過したのか、あるいはどこに到着したのかを時系列的に把握することができる。また、登録者の登録情報に基づいて登録者に関連する人物についても検索することができるので、登録者とその関連する複数人の安否情報を一度に取得することができる。
【０１４７】
以上で説明した本実施形態は以下の効果を奏する。
【０１４８】
（ａ）本実施形態の画像形成装置２００Ａ，２００Ｂは、検索サーバー１００Ａとネットワーク接続可能か否かを一定時間ごとに監視しており、ネットワーク接続が可能ではない場合、ネットワーク接続が可能となるまで送信要求および検索要求を保持する。したがって、災害によりネットワークが寸断して、画像形成装置２００Ａ，２００Ｂと検索サーバー１００Ａとの間で安否情報のやり取りができない場合でも、ネットワークの復旧後すぐに安否情報のやり取りを再開できる。
【０１４９】
（ｂ）登録者は、最終的な目的地および経由地を登録しておくことができるので、検索者は、登録者が登録場所からどこへ向かって移動しているのかを検索結果から把握することができる。その結果、登録者の現在のおおよそ位置を推測することができる。
【０１５０】
（ｃ）本実施形態の画像形成装置２００Ａは、ＡＤＦを備えた原稿供給部２１０を有する。したがって、多数の登録者に入力用紙を配布し、各々の登録者が安否情報を記入したのち、原稿供給部２１０の原稿供給口に重ねて載置しておけば、入力用紙が１枚ずつ読み込まれて、各々の登録者の安否情報が登録される。その結果、短時間で多くの登録者の安否情報を登録できる。
【０１５１】
以上のとおり、実施形態において、本発明の画像処理装置および情報処理プログラムを説明した。しかしながら、本発明は、その技術思想の範囲内において当業者が適宜に追加、変形、および省略することができることはいうまでもない。
【０１５２】
たとえば、上述の実施形態では、検索者が画像処理装置を操作して登録者の安否情報を検索することについて説明した。しかしながら、検索者がネットワークに接続されたパーソナルコンピューターなどから安否情報を検索することもできる。とくに、被災地から地理的に遠く離れていて災害の影響が少ない地域から検索する場合、画像形成装置が設置されている場所を訪れなくても登録者の安否情報を取得できる。
【符号の説明】
【０１５３】
１  画像形成システム、
１００Ａ，１００Ｂ  安否情報検索サーバー、
２００Ａ，２００Ｂ  画像形成装置、
２１０  原稿供給部、
２２０  画像読取部、
２３０  画像処理部、
２４０  画像形成部、
２５０  給紙部、
２６０  画像出力部、
２７０  操作表示部、
２８０  制御部、
２８１  ＨＤＤ、
２８２  メモリ、
２８３  ＣＰＵ、
２８４  通信ＩＦ部、
２８５  バス、
３００Ａ，３００Ｂ  ネットワーク。
【図１】
2014013963.tif 000003
【図２】
2014013963.tif 000004
【図３】
2014013963.tif 000005
【図５Ａ】
2014013963.tif 000006
【図５Ｂ】
2014013963.tif 000007
【図７Ａ】
2014013963.tif 000008
【図７Ｂ】
2014013963.tif 000009
【図８】
2014013963.tif 000010
【図１２】
2014013963.tif 000011
【図１７Ａ】
2014013963.tif 000012
【図１７Ｂ】
2014013963.tif 000013
【図１８】
2014013963.tif 000014
【図２０Ａ】
2014013963.tif 000015
【図２０Ｂ】
2014013963.tif 000016
【図２０Ｃ】
2014013963.tif 000017
【図４】
2014013963.tif 000018
【図６】
2014013963.tif 000019
【図９】
2014013963.tif 000020
【図１０】
2014013963.tif 000021
【図１１Ａ】
2014013963.tif 000022
【図１１Ｂ】
2014013963.tif 000023
【図１１Ｃ】
2014013963.tif 000024
【図１３】
2014013963.tif 000025
【図１４】
2014013963.tif 000026
【図１５】
2014013963.tif 000027
【図１６】
2014013963.tif 000028
【図１９】
2014013963.tif 000029
【図２１】
2014013963.tif 000030
【図２２】
2014013963.tif 000031
【図２３】
2014013963.tif 000032
【図２４】
2014013963.tif 000033
【図２５】
2014013963.tif 000034
【図２６】
2014013963.tif 000035
【図２７】
2014013963.tif 000036
【図２８】
2014013963.tif 000037